(57)【特許請求の範囲】
【請求項１】
洗浄槽は、前後に引き出し自在に設けられる下洗浄部と、前記下洗浄部の上方に設けられ固定される上洗浄部とに分割構成し、前記下洗浄部は、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記下洗浄部前方に設けられる扉体とを備え、前記上洗浄部は、被洗浄物を収納する上食器かごと、前記上食器かごの下方に設けられ前記洗浄ポンプと連通する略円盤形状の上洗浄ノズルと、前記上洗浄ノズルの周囲に設けられ上洗浄部の下面全体を覆う受板と、前記受板の前側端部に設けられ前記受板上の洗浄水を前記下洗浄部に送水する連通経路とを備え、前記受板はノズル用開口部を有し、前記上洗浄ノズルは前記ノズル用開口部を上から覆い隠すように構成された食器洗い機。
【請求項２】
前記受板は前記連通経路に向かって下方に傾斜している請求項１に記載の食器洗い機。
【請求項３】
前記受板および前記上洗浄ノズルは、前方に向かって下向きに傾斜する請求項１または２に記載の食器洗い機。
【請求項４】
前記上洗浄ノズルは、略中央部が最も高い略円錐形状で構成する請求項１〜３のいずれか１項に記載の食器洗い機。
【請求項５】
前記上洗浄ノズルは、少なくともその下部を前記受板内に落とし込むように位置させた請求項１〜４のいずれか１項に記載の食器洗い機。
【請求項６】
前記上食器かごは、平面視で前記上洗浄部全体に設けた請求項１〜５のいずれか１項に記載の食器洗い機。
【請求項７】
前記扉体は、前記扉体に隣接して設けられるとともに前記扉体と連動して前記上食器かごを摺動する上食器かご連動部を備えた請求項１〜６のいずれか１項に記載の食器洗い機。
【請求項８】
前記上食器かご連動部は、前記扉体と前記上食器かごとの連動と非連動とを切り替える切
替手段を備えた請求項７に記載の食器洗い機。
【請求項９】
前記ノズル用開口部は、全周の縁部に凸状の土手部を有する請求項１〜８のいずれか１項に記載の食器洗い機。
【発明の詳細な説明】
【技術分野】
【０００１】
本発明は、食器等の被洗浄物の洗浄、すすぎを行う食器洗い機に関するものである。
【背景技術】
【０００２】
従来、洗浄槽が前後に摺動する引出し式の食器洗い機１０１において、上下に複数の洗浄部を備えたものは、図１６のように水平に摺動する下洗浄部１０２と、下洗浄部１０２上方に設けられ本体に固定される上洗浄部１０３から構成される。下洗浄部１０２は、水平に摺動する下洗浄槽１０４と、被洗浄物を収納する下食器かご１０５と、下食器かご１０５下方に設けられる下洗浄ノズル１０６から構成されている。下洗浄部１０２前方には扉体１０７が設けられている。扉体１０７は下洗浄部１０２と連動して水平に摺動する。上洗浄部１０３は、被洗浄物を収納する上食器かご１０８と、上食器かご１０８の下方に設けられる上洗浄ノズル１０９と、上洗浄ノズル１０９下方に設けられ上洗浄部１０３全体を覆う受板１１０から構成されている（例えば、特許文献１参照）。
【０００３】
この構成では、扉体１０７を引出すと下洗浄部１０２も連動して引出されるため、少ない動作で被洗浄物の取り出しを行うことができ、使い勝手が良い。さらに、使用者は、上食器かご１０８に汚れた被洗浄物を収納した後、下食器かご１０５に被洗浄物を収納するため上食器かご１０８を食器洗い機１０１本体内に収納する。この際、上食器かご１０８内の被洗浄物に付着している汚れは、受板１１０上に落下するため洗浄槽外（例えば食器洗い機１０１本体底面）には落下しない。
【先行技術文献】
【特許文献】
【０００４】
【特許文献１】特表２００３−５００１４５号公報
【発明の概要】
【発明が解決しようとする課題】
【０００５】
しかしながら、上記特許文献１の食器洗い機は、洗浄槽内に受板１１０を構成しているために、受板がないものと比較して上食器かご１０８もしくは下食器かご１０５の空間（高さ）を低くせざるを得ないため、収納できる被洗浄物のサイズが小さくなるという課題があった。また、この種の食器洗い機はキッチン下部に収納されるのが一般的であるため、食器洗い機本体の高さを所定以上大きくすることができない。
【０００６】
本発明は、上記従来の課題を解決するもので、受板を設けても被洗浄物を収容できる洗浄部の高さを十分確保すると共に、残さいや洗浄水などが洗浄槽外に落下することを防止できる、使い勝手の良い食器洗い機を提供することを目的としている。
【課題を解決するための手段】
【０００７】
洗浄槽は、前後に引き出し自在に設けられる下洗浄部と、前記下洗浄部の上方に設けられ固定される上洗浄部とに分割構成し、前記下洗浄部は、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記下洗浄部前方に設けられる扉体とを備え、前記上洗浄部は、被洗浄物を収納する上食器かごと、前記上食器かごの下方に設けられ前記洗浄ポンプと連通する略円盤形状の上洗浄ノズルと、前記上洗浄ノズルの周囲に設けられ上洗浄部の下面全体を覆う受板と、前記受板の前側端部に設けられ前記受板上の洗浄水を前記下洗浄部に送水する連通経路とを備え、前記受板はノズル用開口部を有し、前記上洗浄ノズルは前記ノズル用開口部を上から覆い隠すように構成されたものである。
【０００８】
この構成により、被洗浄物を洗浄槽内に収容できる高さを十分確保すると共に、残さいや洗浄水などが洗浄槽外に落下することを防止できる。
【発明の効果】
【０００９】
本発明の食器洗い機は、上洗浄ノズルの周囲に受板を設けたことにより、被洗浄物を洗浄槽内に収容できる高さを十分確保すると共に、上食器かごに収納された被洗浄物から落下する汚染が洗浄槽外に落下することを防止でき、衛生的な食器洗い機を提供することができる。
【図面の簡単な説明】
【００１０】
【図１】本発明の実施の形態１の食器洗い機の側断面図
【図２】同食器洗い機の下洗浄槽を引き出した際の側断面図
【図３】同食器洗い機の正面断面図
【図４】同食器洗い機の上洗浄ノズル近傍の要部側断面図
【図５】同食器洗い機の上洗浄ノズル近傍の平面断面図
【図６】同食器洗い機の上食器かごを収納した際の側断面図
【図７】同食器洗い機の上洗浄ノズルの別の例の側断面図
【図８】同食器洗い機の上洗浄ノズルの別の例の側断面図
【図９】同食器洗い機の上洗浄ノズルの別の例の平面断面図
【図１０】同食器洗い機の受板の別の例の側断面図
【図１１】同食器洗い機の上洗浄槽および受板の別の例の正面断面図
【図１２】同食器洗い機の上洗浄ノズルおよび受板の別の例の側断面図
【図１３】同食器洗い機の上洗浄ノズルの別の例の側断面図
【図１４】同食器洗い機の分水部の側断面図
【図１５】同食器洗い機の分水部の平面図
【図１６】従来の食器洗い機の斜視図
【発明を実施するための形態】
【００１１】
第１の発明は、洗浄槽は、前後に引き出し自在に設けられる下洗浄部と、前記下洗浄部の上方に設けられ固定される上洗浄部とに分割構成し、前記下洗浄部は、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記下洗浄部前方に設けられる扉体とを備え、前記上洗浄部は、被洗浄物を収納する上食器かごと、前記上食器かごの下方に設けられ前記洗浄ポンプと連通する略円盤形状の上洗浄ノズルと、前記上洗浄ノズルの周囲に設けられ上洗浄部の下面全体を覆う受板と、前記受板の前側端部に設けられ前記受板上の洗浄水を前記下洗浄部に送水する連通経路とを備え、前記受板はノズル用開口部を有し、前記上洗浄ノズルは前記ノズル用開口部を上から覆い隠すように構成されたものである。
【００１２】
この構成によって、被洗浄物を洗浄槽内に収容できる高さを十分確保しながら、受板を洗浄槽内に構成することができる。また、食器洗い機本体内に収納された上食器かごに収納された被洗浄物から落下した残さいや洗浄水は、受板および上洗浄ノズルで受けられるため、残さいなどが洗浄槽外に落下することを防止し、簡易な構成で衛生的な食器洗い機を提供することができる。
【００１３】
第２の発明は、第１の発明において、前記受板は前記連通経路に向かって下方に傾斜していることで、残さいなどが傾斜に沿って高さの低い箇所に集まる。食器洗い機の運転中の洗浄水も同様に高さの低い箇所に集まり連通経路から下洗浄部に流れるため、汚染を流す力が強まり、受板上に汚染が残ることを防止することができる。
【００１４】
第３の発明は、第１または第２の発明において、前記受板および前記上洗浄ノズルは、前方に向かって下向きに傾斜する構成にしたことにより、食器洗い機の運転中に上洗浄ノ
ズルから噴射され、受板および上洗浄ノズル上に滴下した洗浄水は素早く連通経路から下洗浄部に流すことができる。そのため、少ない給水量でも所定の洗浄性能を得る食器洗い機を提供できる。
【００１５】
第４の発明は、第１〜３の発明において、前記上洗浄ノズルは、略中央部が最も高い略円錐形状で構成することにより、洗浄槽内の洗浄水を洗浄槽外に排出する排水工程時に上洗浄ノズル上に残る洗浄水量（残水量という）を削減することができるため、すすぎ性能が向上する。さらに、上洗浄ノズル上面が洗浄槽壁面方向に傾斜していることで、複雑な噴射孔形状にすることなく、より広い範囲に洗浄水を噴射でき、洗浄性能を向上させることができる。
【００１６】
第５の発明は、第１〜４の発明において、前記上洗浄ノズルは、少なくともその下部を前記受板内に落とし込むように位置させたことにより、受板上面と上食器かごとの間の隙間寸法を小さくすることができ、被洗浄物を上食器かごに収容できる高さをより高く確保することができるので、使い勝手の良い食器洗い機を提供することができる。
【００１７】
第６の発明は、第１〜５の発明において、前記上食器かごは、平面視で前記上洗浄部全体に設けたため、上食器かごに多くの被洗浄物を収納することができ使い勝手を向上させることができる。
【００１８】
第７の発明は、第１〜６の発明において、前記扉体は、前記扉体に隣接して設けられるとともに前記扉体と連動して前記上食器かごを摺動する上食器かご連動部を備えたものである。これにより、手元に近く使い勝手の良い上食器かごが、扉体と連動して前方に摺動するため、より使い勝手の良い食器洗い機を提供できる。
【００１９】
第８の発明は、第７の発明において、前記上食器かご連動部は、前記扉体と前記上食器かごとの連動と非連動とを切り替える切替手段を備えたため、使用者が主に上食器かごを使う場合と下洗浄槽に設けられた下食器かごを使う場合とによって、上食器かご連動か非連動かを選択することができ、使い勝手の良い食器洗い機を提供できる。
第９の発明は、第１〜８の発明において、前記ノズル用開口部は、全周の縁部に凸状の土手部を有するものである。これにより、受板に落下した残さいがノズル用開口部から下方に落下することを防止することができる。
【００２０】
以下、本発明の実施の形態について、図面を参照しながら説明する。なお、本実施の形態によって本発明が限定されるものではない。
【００２１】
（実施の形態１）
図１〜図３に示すように、食器洗い機本体１（固定側箱状体）内に、洗浄槽２が収納されている。洗浄槽２の前側全面には、扉体３が設けられている。また、食器洗い機本体１内には、洗浄槽２の下部に設けられる下洗浄部４と、洗浄槽２の上部に設けられる上洗浄部５を有する。
【００２２】
下洗浄部４は、前後方向に摺動可能に設けられ、上方に開口部を有する下洗浄槽６や、被洗浄物７を収納する下食器かご８、被洗浄物７を洗浄するための下洗浄ノズル９が設けられている。
【００２３】
上洗浄部５には、食器洗い機本体１に略固定されている上洗浄槽１０や、被洗浄物７を収納する上食器かご１１、被洗浄物７を洗浄するための上洗浄ノズル１２が設けられている。さらに、上洗浄ノズル１２の周囲には上洗浄部５の下面全体を覆う受板１３が設けられている。
【００２４】
下洗浄槽６は、食器洗い機本体１の左右両内側面に取り付けられた両固定レール１４と、両固定レール１４にそれぞれ滑動自在に装着された両可動レール１５とから構成される
スライドレール１６により前後方向に移動可能で、食器洗い機本体１の前方開口部から引き出すことができる。扉体３は下洗浄槽６の前面に固定して設けられ、下洗浄部４と連動して前後方向に移動する。
【００２５】
洗浄手段としての下洗浄ノズル９は、下洗浄槽６底面の略中央部に回転自在に設けられ、洗浄水の噴射の反力により回転する。下洗浄ノズル９には、洗浄水を噴射するための噴射孔９ａが上面に設けられている。
【００２６】
下食器かご８は下洗浄ノズル９上方に設けられ、被洗浄物７を収納するものである。下食器かご８には、大皿類やまな板、なべといった大型の食器や調理器具が収納できるよう構成されている。また、下洗浄槽６の内底面の前面側コーナー最下部には凹形状の排水口１７が設けられている。
【００２７】
下洗浄槽６の略下面後方に配置された洗浄ポンプ１８は、洗浄水を加圧するものである。循環経路１９は、排水口１７から洗浄ポンプ１８に洗浄水を供給するための経路である。分水部２０は、洗浄ポンプ１８から送水された洗浄水を２経路に分水し、上洗浄ノズル１２と下洗浄ノズル９とに送水するためのものである。分水部２０は、下洗浄ノズル９に送水するための第１導水路２１と上洗浄ノズル１２に送水するための第２導水路２２とに接続している。
【００２８】
フィルタ２３は排水口１７上方もしくは内部に設けられており、被洗浄物７（食器）を洗浄する洗浄工程および被洗浄物７（食器）をすすぐすすぎ工程で、残さい２４（被洗浄物７（食器）に汚れとして付着していた食品を残さいという）を捕集する。下洗浄槽６内部には洗浄水を加熱する加熱手段２５（例えばシーズヒータなど）が設けられている。
【００２９】
上洗浄槽１０は、下洗浄槽６が食器洗い機本体１内に収納されている際に、下洗浄槽６を上方から覆うように形成され、前方が開口している。上洗浄槽１０は側面に設けられた複数の固定部２６によって、食器洗い機本体１に略固定されている。上洗浄槽１０壁面の下端には下洗浄槽６と上洗浄槽１０とをシールし、食器洗い機運転中に洗浄水が洗浄槽２外へ水漏れすることを防止するパッキン２７が設けられている。パッキン２７は、下洗浄槽６を食器洗い機本体１に収納した際に押しつぶされ、下洗浄槽６と上洗浄槽１０とを水封する。
【００３０】
上食器かご１１は、上洗浄槽１０内に設けられ、被洗浄物７を収納するものである。上食器かご１１は、上洗浄槽１０の左右両内側面に取り付けられた両固定ローラ２８と、両固定ローラ２８にそれぞれ滑動自在に装着された両上食器かご可動レール２９とから構成される上食器かごレール３０により前後方向に移動可能で、上洗浄槽１０の前方開口部から食器洗い機本体１の前方へ引き出すことができるように構成されている。上食器かご１１は平面視で上洗浄部５全体に設け、多くの被洗浄物７を収納することができ使い勝手がよくなるようにしている。この上食器かご１１には、例えば茶碗や直径２０ｃｍ以下の中皿類などの小型食器が収納できるように構成されている。
【００３１】
上洗浄ノズル１２は、上食器かご１１の中央部下方に回転自在に設けられ、洗浄水の噴射の反力により回転する。上洗浄ノズル１２にも下洗浄ノズル９同様に洗浄水を噴射するための噴射孔１２ａが上面に設けられている。略水平前後方向に設けた上部導水路３１は上洗浄ノズル１２に洗浄水を送水するためのもので、第２導水路２２と上洗浄ノズル１２とを接続する。
【００３２】
扉体３内壁の上部には、鍵形状の上食器かご連動部３２が設けられ、上食器かご１１の一部が係合され、下洗浄槽６と上食器かご１１とが連動して摺動可能に構成している。上
食器かご連動部３２は下洗浄槽６の内壁と一体に成形されている。また、切替手段３２ａが上食器かご連動部３２近傍に設けられ、上食器かご１１と下洗浄槽６および扉体３との連動と非連動とを切り替えることができる。切替手段３２ａは、例えば可倒式になっており、図２に示すように切替手段３２ａを直立させている場合には、上食器かご１１は下洗浄槽６の動作に連動し、切替手段３２ａを倒している場合には、上食器かご１１は下洗浄槽６の動作に連動しない。
【００３３】
洗浄槽２内の洗浄水は給水弁３３から上洗浄槽１０に給水され、排水手段３４により食器洗い機本体１外に排水されるものである。
【００３４】
下洗浄槽６背面に設けられた送風手段３５は、食器洗い機の乾燥工程などで動作して、外気を吸い込み、送風経路３６を経て洗浄槽２内に供給され、洗浄槽２の天面または側壁に設けられた排気口３７より排気することで、洗浄槽２内の被洗浄物７（食器）を乾燥させる。
【００３５】
温度検知手段３８は、洗浄槽２内の洗浄水、空気および加熱手段２５の温度を検知するものである。
【００３６】
制御手段３９（制御装置）は、給水弁３３が洗浄槽２内に洗浄水を供給するのを制御したり、温度検知手段３８の出力に基づいて加熱手段２５を制御したりするとともに、洗浄ポンプ１８、給水弁３３、排水手段３４、送風手段３５等を制御して、洗浄、すすぎ、乾燥の一連の工程を逐次制御するよう構成している。
【００３７】
この食器洗い機は、図１に示すように、キッチンキャビネットＡ内にビルトインするのが基本的な設置形態である。
【００３８】
上記構成において動作、作用を説明すると、使用者が食器洗い機本体１から扉体３を引き出すと、連動して下洗浄槽６が引き出される。さらに、下洗浄槽６の内壁面に取り付けられた上食器かご連動部３２に係合された上食器かご１１も同時に引出される。使用者は、被洗浄物７を上食器かご１１に、続いて下食器かご８に収納し、洗剤を下洗浄槽６に投入した後、下洗浄槽６を後方に摺動させ食器洗い機本体１内に収納する。被洗浄物７を下食器かご８に収納する際、上食器かご１１の上食器かご連動部３２との係合を解除して行った場合は、食器洗い機本体１内への収納動作によって上食器かご１１の前方部は再度上食器かご連動部３２に係合され、再度扉体３を引き出す際には上食器かご１１が連動して引き出される。
【００３９】
運転を開始すると、まず排水手段３４が動作して、前回の運転等で下洗浄槽６内に残っている洗浄水（残水と呼ぶ）を食器洗い機本体１外へ排出する。次に、給水弁３３が動作して所定量の洗浄水を洗浄槽２に供給する。所定量の洗浄水が供給されると、排水口１７から洗剤とともに循環経路１９内に設けられた洗浄ポンプ１８に供給された洗浄水が、洗浄ポンプ１８により加圧され、分水部２０で第１導水路２１と第２導水路２２とに分水される。第１導水路２１に送水された洗浄水は、下洗浄ノズル９に送られる。第２導水路２２に送水された洗浄水は、上部導水路３１を経て上洗浄ノズル１２に送られる。それぞれの洗浄ノズルに送水された洗浄水は、上洗浄ノズル１２および下洗浄ノズル９に設けた噴射孔１２ａおよび９ａから噴射される。
【００４０】
下洗浄ノズル９および上洗浄ノズル１２から噴射され、被洗浄物７を洗浄した洗浄水は、排水口１７に回収され、循環経路１９を介して洗浄ポンプ１８に再び送水される。こうして洗浄工程が行われる。この洗浄工程では下洗浄槽６内に設けた加熱手段２５に通電して、洗浄水を洗浄所定温度まで加熱する。
【００４１】
洗浄工程が所定時間行われると、排水手段３４が被洗浄物７（食器）から洗い落とされた汚れを含む洗浄水を食器洗い機本体１外へ排出する。そして、新たに給水弁３３が洗浄水を供給し、上洗浄ノズル１２および下洗浄ノズル９に設けた噴射孔１２ａおよび９ａから再び洗浄水が噴射されて、洗剤や残さい２４等で汚れた被洗浄物７（食器）をすすぐ、すすぎ工程を実行する。
【００４２】
このすすぎ工程が終わると、洗浄水を再び食器洗い機本体１外へ排出する。このすすぎ工程は連続して数回繰り返される。そして、加熱手段２５により洗浄水を所定温度（例えば６０℃）まで加熱して被洗浄物７（食器）をすすぐ加熱すすぎ工程を複数回行われるすすぎ工程の最後に行う。なお、洗浄およびすすぎ工程において、残さい２４は下洗浄槽６に設けたフィルタ２３内に捕集される。
【００４３】
加熱すすぎ工程が終了すると乾燥工程が開始する。この工程では、送風手段３５が動作して外気が送風経路３６を介して下洗浄槽６内へ送り込まれる。送風口４０から下洗浄槽６内に送り込まれた空気は送風口４０の近傍（下流方向）に設けられた加熱手段２５により加熱された後、被洗浄物７（食器）を乾燥させて排気口３７より食器洗い機本体１の外に排気される。乾燥工程終了後、運転を終了する。
【００４４】
このように構成された本実施の形態において、上洗浄ノズル１２および受板１３近傍の構成を以下に詳述する。
【００４５】
図４、図５に示すように、受板１３は、略中央部に円形状のノズル用開口部４１を設け、水平の板状に構成されている。受板１３の外周部は、上洗浄槽１０の背面および両側面と接続している。ノズル用開口部４１の縁部は、洗浄水がノズル用開口部４１から下方に滴下しないための上方に凸状に設けた土手部４２を全周に有する。受板１３の前側端面は、上洗浄槽１０の前側端面より後方に設けられ、下洗浄槽６収納時に、下洗浄槽６の前側内壁面と受板１３との間に連通経路４３ができるように構成される。この連通経路４３は、受板１３上の洗浄水を下洗浄部４（下洗浄槽６）に送水するもので、上食器かご１１に収納した被洗浄物７に付着した残さい２４が洗浄工程中に下洗浄槽６に落下できるように、２０ｍｍ程度設けることが望ましい。
【００４６】
また、上洗浄ノズル１２は、略円盤形状をしており、上洗浄ノズル１２の下部が受板１３のノズル用開口部４１より径小に、受板１３上面よりも上部が土手部４２より径大になるよう構成され、上洗浄ノズル１２の下部を受板１３のノズル用開口部４１内に落とし込むように位置させ、上洗浄ノズル１２の上部で受板１３のノズル用開口部４１の全周を上から覆い隠すようにしている。上洗浄ノズル１２は、内部が中空になっており、洗浄水を噴射する噴射孔１２ａは上洗浄ノズル１２上面に複数設けられている。
【００４７】
図１、図２に示すように、上洗浄ノズル１２と第２導水路２２は、略水平前後方向に延出した上部導水路３１によって接続される。上部導水路３１は、受板１３下面に固定して設けられている。上部導水路３１は、上洗浄ノズル１２の下面略中央部で上方に屈曲し、上洗浄ノズル１２の下面に設けられた軸部と接続する。軸部側の上部導水路３１端部は、軸部より径大になるよう構成されており、上洗浄ノズル１２は軸部を中心に回転自在である。また、上部導水路３１は、下洗浄槽６を食器洗い機本体１内に収納した際に第２導水路２２と嵌合し、下洗浄槽６を引き出した際に外れるよう構成されている。
【００４８】
上記受板１３および上洗浄ノズル１２近傍の構成について、その動作、作用を以下に詳述する。
【００４９】
前述したように、使用者が被洗浄物７を収納する際、まず、食器洗い機本体１から扉体３を引き出す。この際、図２のように連動して下洗浄槽６が引き出される。さらに、下洗浄槽６の内壁面に取り付けられた上食器かご連動部３２に係合された上食器かご１１も同時に引き出される。使用者は、まず上食器かご１１に小型の被洗浄物７（食器）を配置する。続いて大型の被洗浄物７（食器）など残りの被洗浄物７（食器）を下食器かご８に収納するため、上食器かご１１を後方に摺動させる。具体的には、上食器かご１１の前方部を上方に持ち上げ後方にずらすことで上食器かご連動部３２との係合を解除し、上食器かご連動部３２から上食器かご１１を外す。上食器かご連動部３２から外された上食器かご１１を後方に摺動させ、図６に示すように上洗浄槽１０内に収納する。
【００５０】
この際、上食器かご１１に収納された被洗浄物７（食器）に付着した残さい２４（液体物や固形物など）は、一部被洗浄物７下側縁部から下方に落下する。落下した残さい２４は、受板１３もしくは、上洗浄ノズル１２上に落下し回収される。図４に示すように、受板１３のノズル用開口部４１を覆うように上洗浄ノズル１２の径大部１２ｂが設けられているため、上洗浄ノズル１２上面外周部近傍に残さい２４が落下しても、受板１３下方への残さい２４の落下を防ぐことができる。さらに、受板１３のノズル用開口部４１には周囲より高い土手部４２を設けているため、残さい２４はノズル用開口部４１から下方に落下しない。なお、受板１３が無いと、残さい２４が食器洗い機本体１底面に落下するため、臭いの原因や食器洗い機本体１の腐食の原因となってしまう。
【００５１】
受板１３および上洗浄ノズル１２上に落下した残さい２４は、運転開始後、洗浄水の流れによって、受板１３前方の連通経路４３から下洗浄槽６内に落下し、フィルタ２３に回収される。
【００５２】
また、受板１３にノズル用開口部４１を設けず、上洗浄ノズル１２全体を受板１３の上方に設ける従来の構成の場合には、上洗浄ノズル１２が回転中に受板１３と接触をしないように、上洗浄ノズル１２の下面と受板１３上面との間に隙間（例えば１０ｍｍ）が必要である。同様に上食器かご１１と上洗浄ノズル１２との間にも隙間（例えば１０ｍｍ）が必要であるため、受板１３上面と上食器かご１１との間には２つの隙間と上洗浄ノズル１２との厚み分（例えば合わせて３５ｍｍ）距離を離さなければならない。そのため、上食器かご１１に収容できる食器高さが十分確保できなくなる。本実施の形態によれば、上洗浄ノズル１２の周囲に受板１３を設け、ノズル用開口部４１内に落とし込むように上洗浄ノズル１２を位置させているため、受板１３上面と上食器かご１１との間に１つの隙間（例えば１０ｍｍ）しか設ける必要がなく、被洗浄物７を上食器かご１１に収容できる食器高さを十分に確保することができる。
【００５３】
さらに、食器洗い機の運転中にしばしば使用者が食器洗い機の内部に収納した被洗浄物７を取り出したり、被洗浄物７を追加したりすることがある。その際、食器洗い機を一時停止させ、扉体３の把持部（図示せず）を把持し、下洗浄槽６および扉体３を前方に摺動する。食器洗い機を一時停止させると同時に洗浄ポンプ１８への電流が遮断され、洗浄ポンプ１８は運転を停止する。しかし、洗浄ポンプ１８は電流が遮断されても、モータの慣性のために所定時間動作するため、その間もノズルから洗浄水が噴射し続ける。食器洗い機を停止直後に下洗浄槽６を引き出すと、上洗浄ノズル１２から洗浄水がまだ噴射されているが、噴射された洗浄水は、受板１３上に落下するため、食器洗い機本体１底面に洗浄水が滴下することを防ぐこともできる。
【００５４】
なお、本実施例では、上洗浄ノズル１２を中央に１つ設けてあるが、図７に示すように、互いに干渉しないように複数の上洗浄ノズル１２を設け、その周囲に受板１３を設けても良い。この場合、複数の洗浄ノズルから洗浄を行うため、より洗浄範囲が拡大し洗浄性能が向上する。また、上食器かご１１の一部のみに被洗浄物７が収納されている場合に、
その部分のみを集中的に洗浄することができるため、短い時間で洗浄工程を完結することができる。
【００５５】
また、図８に示すように、上洗浄ノズル１２上部の径大部１２ｂの外縁部には、下方に延出する返し部４４を設けていることが好ましい。これにより、上洗浄ノズル１２上面に落下した液体状の残さい２４が、上洗浄ノズル１２下面に回りこみノズル用開口部４１から下方に落下しないため、より衛生的な食器洗い機を提供できる。この返し部４４は、受板１３のノズル用開口部４１縁部の全周に設けた土手部４２の外側にオーバーラップさせて設ければ、より大きい効果が得られる。
【００５６】
なお、本実施の形態では上洗浄ノズル１２の内部全体を中空に構成してノズル内流路としてあるが、図９に示すように、上洗浄ノズル１２の一部のみ（例えば中央部から一直線状のみ）に中空の流路１２ｄを設けても良い。この場合、洗浄水が流れる経路容積が縮小するため、より少ない洗浄水量で所定の洗浄性能を得る食器洗い機を提供できる。
【００５７】
また、本実施の形態では受板１３は水平に設けられてあるが、図１０に示すように、受板１３は、ノズル用開口部４１から上洗浄槽１０の壁面および連通経路４３に向かって下方に傾斜していることが好ましい。この場合、上食器かご１１に収納した被洗浄物７から受板１３上に落下した残さい２４は、受板１３の傾斜１３ａに沿って外周部に集まる。そのため、受板１３に土手部４２を設けなくともノズル用開口部４１から受板１３の傾斜面下方への残さい２４の落下を防ぐ事ができる。また、食器洗い機運転中に受板１３上を流れる洗浄水も同様に外周部に集まって流れるため、より残さい２４を流す力が増加するため、受板１３上への残さい２４の残留および蓄積を防ぐことができる。また、食器洗い機運転中の洗浄水は同様に受板１３の傾斜１３ｂに沿って高さの低い前側端面に集まり、連通経路４３から下洗浄部４に流れるため、汚染を流す力が強まり、受板１３上に汚染が残ることを防止することができる。
【００５８】
また、図１１に示すように、上洗浄槽１０の下端には、略Ｕ字形状の回収部４５を両側面および背面に設けているほうが好ましい。回収部４５は運転中に食器洗い機を一時停止させ、下洗浄槽６を引き出した際に、受板１３より下方の上洗浄槽１０側面および背面に付着した洗浄水を回収し、下洗浄槽６に滴下させるためのものである。これにより、食器洗い機本体１の底面に滴下する洗浄水の量が削減され、より安全な食器洗い機を提供できる。
【００５９】
また、図１１に示すように、受板１３上面前側の左右端部は、受板１３上に滴下した洗浄水を受板１３前側の中央部に回収するガイド４６が設けていることが望ましい。ガイド４６を設けることにより端部近傍を流れている洗浄水が、上洗浄槽１０の内壁面に流れ、洗浄槽２外に滴下することを防ぐ。
【００６０】
また、受板１３および上洗浄ノズル１２は、図１２のように、前方に向かって下方に傾斜していてもよい。受板１３および上洗浄ノズル１２が前方に向かって下方に傾斜していることで、受板１３および上洗浄ノズル１２上に落下した洗浄水は最短距離で連通経路４３に流れ込む。洗浄水の流れる経路が短くなるため、洗浄水が噴射されてから排水口１７へ回収されるまでの速度が速くなり、少ない洗浄水量でも食器洗い機を運転することができる。
【００６１】
また、上洗浄ノズル１２は、図１３に示すように、略中央部が最も高くなった円錐形状であってもよい。上洗浄ノズル１２上面が傾斜していることで、上洗浄ノズル１２上面に落下した残さい２４や滴下した洗浄水を素早く上洗浄ノズル１２外部に移動させることができる。これにより、上洗浄ノズル１２の噴射孔１２ａを残さい２４が覆うことによる洗
浄性能の低下を防いだり、排水時における洗浄槽２内の残水量を削減し洗浄性能を向上させたりすることができる。さらに、上洗浄ノズル１２の上面が円周方向にも向いているため、効率よく洗浄水噴射範囲を拡大することができる。
【００６２】
また、図１４および図１５に示すように、分水部２０は、洗浄ポンプ１８から吐出された洗浄水を下洗浄ノズル９と上洗浄ノズル１２とに流れる水量を変化させるための構成をしていることが望ましい。具体的には、分水部２０内部に第１導水路２１と第２導水路２２とに流れる洗浄水量割合を変化させるためのセパレータ４７が配設されている。セパレータ４７は、出水口４７ａ近傍に隣接して設けられた円盤状の樹脂成形部品で、複数の開孔部４７ｂを有する。セパレータ４７は、略中央部が分水モータ４８と接続され、回転自在である。セパレータ４７の停止位置によって第１導水路２１と第２導水路２２とに流れる洗浄水量割合が変化し、どちらか一方のみに洗浄水を送ることも可能である。なお、セパレータ４７の位置は、位置センサ（図示せず）によって判断することができる。
【００６３】
この構成を設けた場合、使用者は、操作部に設けられたコース設定ボタンを押し、運転コースを指定できる。ここでは、上食器かご１１のみを洗浄する上食器かご洗浄コース、下食器かご８のみの下食器かご洗浄コース、上下ともに洗浄する上下かご洗浄コースなどのコースが設けられている。
【００６４】
運転コースを指定し、食器洗い機の運転を開始すると、排水手段３４が所定時間動作した後、給水弁３３が動作して所定量の洗浄水を下洗浄槽６に供給する。所定量の洗浄水が供給されると、設定されたコースに基づき、分水部２０に設けられた分水モータ４８が動作し、セパレータ４７が回転する。上食器かご洗浄コースが指定されている場合には、セパレータ４７の開孔部４７ｂと第２導水路２２への出水口４７ａとが一致し、第１導水路２１を塞ぐ位置でセパレータ４７は停止する。同様に、下食器かご洗浄コースの場合は、第１導水路２１にのみ洗浄水を供給する位置でセパレータ４７は停止する。上下かご洗浄コースの場合は、第１導水路２１および第２導水路２２に洗浄水を供給できるようセパレータ４７を回転した後、その位置で停止させる。
【００６５】
これにより、被洗浄物７（食器）の量に応じて必要最低限の場所のみ洗浄水を供給し洗浄することができるため、消費電力量や使用水量といったランニングコストの削減を実現できる。
【産業上の利用可能性】
【００６６】
本発明の食器洗い機は、食器等の被洗浄物を洗浄槽内に収容できる洗浄部の高さを十分に確保しながら、上食器かごに収納された被洗浄物から落下する汚染が洗浄槽外に滴下することを防止できるため、衛生的な食器洗い機等として有用である。
【符号の説明】
【００６７】
１  食器洗い機本体
２  洗浄槽
３  扉体
４  下洗浄部
５  上洗浄部
６  下洗浄槽
８  下食器かご
９  下洗浄ノズル
１０  上洗浄槽
１１  上食器かご
１２  上洗浄ノズル
１３  受板
１８  洗浄ポンプ
２１  第１導水路
２２  第２導水路
３２  上食器かご連動部
４３  連通経路
【図１】
0005668222.tif 000002
【図２】
0005668222.tif 000003
【図３】
0005668222.tif 000004
【図４】
0005668222.tif 000005
【図５】
0005668222.tif 000006
【図６】
0005668222.tif 000007
【図７】
0005668222.tif 000008
【図８】
0005668222.tif 000009
【図９】
0005668222.tif 000010
【図１０】
0005668222.tif 000011
【図１１】
0005668222.tif 000012
【図１２】
0005668222.tif 000013
【図１３】
0005668222.tif 000014
【図１４】
0005668222.tif 000015
【図１５】
0005668222.tif 000016
【図１６】
0005668222.tif 000017